(57)【特許請求の範囲】
【請求項１】
左右の側部材における前部および後部に、上下方向に並ぶ複数の係止孔を設け、前記左右の側部材の前部および後部の係止孔に棚受材を係止することにより棚板を上下方向に複数架設可能とした物品棚において、前記側部材の前部および後部の係止孔または前記左右の側部材の係止孔に物品落下防止材の両端を係止することで、前記棚板からの物品の落下を防止する物品棚における物品落下防止装置であって、
前記物品落下防止材は、前記側部材の前部および後部の係止孔間または前記左右の側部材の係止孔間とほぼ同幅の水平部と、該水平部の両端側に形成される係止部と、を有する杆材にて構成されるとともに、前記係止部は、前記水平部の端部から前記係止孔の奥行き方向に向けて延設される接続部と、該接続部の下端から延設される略上向きフック形状をなすフック部と、を含むことを特徴とする物品棚における物品落下防止装置。
【請求項２】
前記フック部の上下幅を前記係止孔の上下幅より大とするとともに、前記フック部の開口幅を、前記係止孔が形成された係止孔部材の板厚より大とした請求項１に記載の物品棚における物品落下防止装置。
【請求項３】
前記係止孔の奥側に該係止孔と対向する奥壁を設け、前記フック部が前記係止孔内に嵌合した状態で、該フック部が前記奥壁と当接する請求項１または２に記載の物品棚における物品落下防止装置。
【発明の詳細な説明】
【技術分野】
【０００１】
本発明は、物品棚の上下方向に複数架設された棚板上に載置された物品が、該棚板端部より落下することを防止する物品落下防止材を設けた物品棚における物品落下防止装置に関する。
【背景技術】
【０００２】
従来、この種の物品落下防止装置としては、左右に配置される前後一対の支柱に上下方向に連続形成された複数の係止孔に、棚板の左右端部に設けたブラケット（棚受材）を係止することで棚板を所定の高さ位置に架設可能とした物品棚において、左右の支柱の内側面間の幅よりも若干短寸に形成された落下防止バーの両端に、水平に延びる水平片と、斜め下向きに延びる傾斜片とが固着された落下防止部材を、左右の支柱に形成された係止孔に水平片及び傾斜片を係止して左右の支柱間に取り付けることで、物品の落下を防止するようにしたものがある（例えば、特許文献１参照）。
【０００３】
【特許文献１】特開平１１−１４６８１６号公報（第２頁、第１，４図）
【発明の開示】
【発明が解決しようとする課題】
【０００４】
しかしながら、上記特許文献１に記載の落下防止部材にあっては、水平片を一方の支柱の係止孔に深く挿入することで、傾斜片を他方の支柱の係止孔に対向させた後、前記係止孔に深く挿入した水平片を、該係止孔から完全に逸脱しない程度に手前側に引き出し、前記傾斜片を他方の支柱の係止孔に係止するため、少なくとも水平片を挿入する側の係止孔の奥行きを幅広としておく必要があるばかりか、支柱間に取り付けられた状態において、落下防止バーにおける水平片が固着された側の端部と支柱との間に隙間が形成されることで、落下防止バーに当接した物品を棚板から取り出す際に、該物品を上に持ち上げるような取り出し方をすると、斜め下向きに延びる傾斜片が係止孔から外れてしまう虞があった。
【０００５】
本発明は、このような問題点に着目してなされたもので、係止孔に係止した状態においてがたつき等が生じにくく、かつ、落下防止材に当接した物品を取り出す際に物品落下防止材の端部が係止孔から簡単に外れることがない物品棚における物品落下防止装置を提供することを目的とする。
【課題を解決するための手段】
【０００６】
上記課題を解決するために、本発明の請求項１に記載の物品棚における物品落下防止装置は、
左右の側部材における前部および後部に、上下方向に並ぶ複数の係止孔を設け、前記左右の側部材の前部および後部の係止孔に棚受材を係止することにより棚板を上下方向に複数架設可能とした物品棚において、前記側部材の前部および後部の係止孔または前記左右の側部材の係止孔に物品落下防止材の両端を係止することで、前記棚板からの物品の落下を防止する物品棚における物品落下防止装置であって、
前記物品落下防止材は、前記側部材の前部および後部の係止孔間または前記左右の側部材の係止孔間とほぼ同幅の水平部と、該水平部の両端側に形成される係止部と、を有する杆材にて構成されるとともに、前記係止部は、前記水平部の端部から前記係止孔の奥行き方向に向けて延設される接続部と、該接続部の下端から延設される上向きフック形状をなすフック部と、からなることを特徴としている。
この特徴によれば、フック部を係止孔内に挿入した後、係止孔の下端に接続部が係止されるまでフック部を下降させることで、水平部の両端が係止孔に係止されるため、水平部に当接した物品が上方に持ち上げるように取り出された場合でも、フック部が係止孔よりも下方位置に深く入り込んでいるとともに、該フック部は先端が係止孔の上端縁に引っ掛かりやすい上向きフック形状をなしているため、係止部が係止孔から簡単に外れてしまうことがない。
また、物品落下防止材は杆材にて構成されていることで、構造が簡素で、かつ取り付けられた状態において目立ちにくいため意匠性に優れる。
【０００７】
本発明の請求項２に記載の物品棚における物品落下防止装置は、請求項１に記載の物品棚における物品落下防止装置であって、
前記フック部の上下幅を前記係止孔の上下幅より大とするとともに、前記フック部の開口幅を、前記係止孔が形成された係止孔部材の板厚より大としたことを特徴としている。
この特徴によれば、フック部の上下幅を係止孔の上下幅よりも大とすることで、係止部が係止孔からより外れにくくなるとともに、係止部を係止孔に挿入する際に、フック部の開口幅内に係止孔の上端を入り込ませた状態で、該フック部の下部を先に係止孔内に挿入した後に係止部を下降させることで、上下幅が長寸のフック部を簡単に係止孔内に挿入することができる。
【０００８】
本発明の請求項３に記載の物品棚における物品落下防止装置は、請求項１または２に記載の物品棚における物品落下防止装置であって、
前記係止孔の奥側に該係止孔と対向する奥壁を設け、前記フック部が前記係止孔内に嵌合した状態で、該フック部が前記奥壁と当接することを特徴としている。
この特徴によれば、フック部が奥壁との間に嵌り込むことで、係止孔内に挿入されたフック部の回転が規制されるため、物品落下防止材のがたつきが効果的に防止され、水平部が安定して支持される。
【発明を実施するための最良の形態】
【０００９】
本発明の実施例を以下に説明する。
【実施例】
【００１０】
図１（ａ）は、本発明の実施例における物品棚の全体像を示し、手前正面側から見た斜視図であり、図１（ｂ）は、物品棚の奥行き背面側から見た全体像を示す斜視図であり、図２は、図１のＡ−Ａ断面図であり、図３は、図２のＢ−Ｂ断面図であり、図４（ａ）は、物品落下防止材を示す斜視図であり、（ｂ）は物品落下防止材を示す平面図であり、（ｃ）は（ｂ）のＣ−Ｃ断面図であり、図５は、物品落下防止材の物品棚への取り付け状態を示す物品棚の要部斜視図であり、図６（ａ）〜（ｅ）は、物品落下防止材の係止部を係合孔に係止する状態を示す物品棚の要部拡大縦断面図である。以下の説明において、図１（ａ）に図示された物品棚１に対面した状態で見て、物品棚１の手前正面側を前方とし、奥行き背面側を後方とし、左手側を左方、右手側を右方として説明する。
【００１１】
以下、本発明の物品棚における物品落下防止装置を図面に基づいて説明すると、まず本実施例における物品棚１は、上下方向に複数階層にわたり物品を収納可能になっており、各階層毎に正面側または背面側から物品類を収納することでき、主に小規模なオフィス空間において利用されている。
【００１２】
図１（ａ）および図１（ｂ）に示されるように、物品棚１には、左右両側に上下方向に長い矩形のフレーム枠材１５，１５（側部材）が設けられている（図３参照）。両フレーム枠材１５，１５の上部と下部には、左右の長さ方向に延びる矩形の天板２と底板３が取り付けられ、中間部には上下に所定間隔離間された状態で棚板４が取り付けられ、上下方向に３つの収納部Ｓ１，Ｓ２，Ｓ３が形成されている。両フレーム枠材１５，１５の下部には前後に高さ調整可能なアジャスタ１８が取り付けられ、前後左右で物品棚１を安定して支持している。
【００１３】
収納部Ｓ１，Ｓ３の背面側には矩形の金属薄板で構成した背面閉塞板１０が嵌め込まれており、収納部Ｓ１，Ｓ３の後方が閉塞され、前方には開口部１ａ，１ａが形成されて収納物の搬出入ができる。中間の収納部Ｓ２の前方側には、内側にプラスチック状の幕板パネル１３が取り付けられ、外周が矩形の金属枠で囲繞された正面閉塞板幕板１１が嵌め込まれており、収納部Ｓ２の前方が閉塞され、後方は開口部１ａが形成されて収納物の搬出入ができるようになっている。
【００１４】
図１〜図３に示されるように、フレーム枠材１５は、アルミの押出し成形からなる前後一対の側フレーム支柱２２，２２と、両側フレーム支柱２２，２２の上下同士をそれぞれ接続固定した上部材としての上フレーム部材１６及び下部材としての下フレーム部材１７で枠状に構成されている。また、左右に配設されたフレーム枠材１５，１５は、上方において前後の上ビーム部材５，５にて、下方において前後の下ビーム部材６，６にてネジ８を介して連結固定されることにより、周囲が解放された物品棚１の外枠が構築される。
【００１５】
両フレーム枠材１５，１５間の上下部には、木材やプラスチックおよび金属板等で形成された板状の天板２および底板３が、中間部には金属薄板で折り曲げ形成された棚板４，４が設けられている。これら棚板４，４は、左右端部に設けられた前後一対の棚受ブラケット７，７を、後述するように、前後の側フレーム支柱２２，２２それぞれに設けられた係止孔２０ａ，２０ａに係止することにより、所定高さ位置に保持されている。
【００１６】
また、各段の棚板４の左右側における該棚板４の上面よりもやや上方位置には、各棚板４の上面に載置される物品（図示略）の左右端側からの落下を防止するための物品落下防止材（以下、落下防止材と略称する）５０が、前後方向に延びるように取り付けられている。尚、この落下防止材５０の詳細な構造については後述することとする。
【００１７】
図２及び図３に示すように、前後の側フレーム支柱２２，２２は、前後対称に対向する方向に配置され、それぞれ前後の外方には、上下方向に沿って延在する溝条２６，２６が設けられている。前方の側フレーム支柱２２の溝条２６は、前端面から内方に向けて切り欠かれた切り欠き溝として形成され、後方の側フレーム支柱２２の溝条２６は、後端面から内方に向けて切り欠かれた切り欠き溝として形成されている。その結果、前方の側フレーム支柱２２は前方に、後方の側フレーム支柱２２は後方に支柱本体から突出する連結片２５，２５が上下方向に延設する構造となっている。
【００１８】
また、この側フレーム支柱２２，２２における前後方向の中央寄りには、上下方向に貫通するとともに、内側に向けて開口する嵌合溝２３が形成されており、該嵌合溝２３には、左右方向に貫通する複数の係止孔２０ａが上下方向に向けて連続的に形成された棚受スリット支柱２０が、上方または下方から嵌入されており、上下のフレーム部材１６，１７によって上下動が規制されている。
【００１９】
背面閉塞板１０や正面閉塞板１１は、その左右辺部における上下に固着されたナットＮに、左右の側フレーム支柱２２，２２それぞれの前後部に外側から挿通されるボルトＢが螺入されることで、溝条２６内に嵌合した状態で取り付けられており、ボルトＢを取り外すことで、デザインの異なる閉塞板に交換したり、取り付け位置の変更を簡単に行うことができるようになっている。
【００２０】
棚板４を支持する棚受材としての棚受ブラケット７は、図６に示されるように、スチール等の板金による折り曲げによって形成され、棚板４の左右側端部を係止する断面上向き略Ｊ字形の棚板支持部７ｂと、該棚板支持部７ｂの前後部からそれぞれ外側に向けて突設され、上下方向に凸部を有する鈎部７ａと、からなる。棚板支持部７ｂの下受片には、棚板４の左右側に形成される折り曲げ片を連結して固定するためのボルトが貫通するボルト貫通孔（図示略）が形成されており、両者をボルト固定できるようになっている。
【００２１】
棚受スリット支柱２０は、図３及び図６に示されるように、スチール金属等の折り曲げによって上下の長さ方向に延設され、前述した係止孔２０ａが上下方向に向けて複数形成される前片２０ｃと、その前後端から外方に向けて延設される嵌合片２０ｂ，２０ｂと、により平面視コ字状に形成されており、前後方向に離間配置される棚受スリット支柱２０，２０の前片２０ｃに形成された複数の係止孔２０ａが、それぞれ棚板４側（同方向）を向くように前後の嵌合溝２３，２３内にそれぞれ嵌合されている。尚、各係止孔２０ａは、上下幅寸法が前後幅寸法よりも長寸をなす、縦長スリット形状に形成されている。
【００２２】
棚板４を、棚受ブラケット７を介して係止孔２０ａに係止する場合には、図６に示されるように、嵌合溝２３内に嵌入された棚受スリット支柱２０の係止孔２０ａに向けて、物品棚１の内側から棚受ブラケット７の鈎部７ａを上方に向けて挿入し、鈎部７ａを嵌合溝２３内に嵌入した後、鈎部７ａを下降させることで、係止孔２０ａの下部に下端が係止されるとともに、鈎部７ａの上端が係止孔２０ａの上部位置で係止され、棚受スリット支柱２０に棚受ブラケット７が位置固定され、取り付けが完了する。そして、係止された棚板支持部７ｂに棚板４の左右側端部を載置することで、棚板４の左右端部が棚受ブラケット７により支持され、物品棚１内に架設される。
【００２３】
次に、本実施例における落下防止材５０について、図４〜図６に基づいて説明する。
【００２４】
図４に示されるように、本実施例における落下防止材５０は、係止孔２０ａの前後幅寸法よりも短寸の直径（約３ｍｍ）のステンレス製の棒材（杆材）を折り曲げ加工することにより構成されており、前後の側フレーム支柱２２，２２それぞれに設けられた係止孔２０ａ，２０ａ間とほぼ同幅寸法に形成される水平部５１と、該水平部５１の長手方向の両端側に形成される係止部５２，５２と、から構成されている。詳しくは、前後の係止部５２，５２は、水平部５１の端部から略９０度外側に向けて屈曲され、係止孔２０ａの奥行き方向に向けて斜め下方に延設される接続部５３と、該接続部５３の下端から延設される略上向きＵ字形（フック形）をなすフック部５４と、から構成されている。
【００２５】
さらに、フック部５４は、接続部５３から鉛直下方に向けて延設される第１垂直杆５４ａと、該第１垂直杆５４ａの下端から上向き円弧状に折り返される折り返し杆５４ｂと、該折り返し杆５４ｂから鉛直上方に向けて延設される第２垂直杆５４ｃと、から構成されている。図４（ｃ）及び図６に示されるように、フック部５４（第２垂直杆）の上下幅寸法Ｌ１は、係止孔２０ａの上下幅寸法Ｌ３（図６（ａ）参照）よりも長寸となるように形成されている（Ｌ１＞Ｌ３）。また、第１垂直杆５４ａと第２垂直杆５４ｃとの間の開口幅寸法Ｌ２は、複数の係止孔２０ａが形成される棚受スリット支柱２０の前片２０ｃの厚み幅寸法Ｌ４（図６（ａ）参照）よりも長寸となるように形成されている（Ｌ２＞Ｌ４）。
【００２６】
つまり、棒材からなる落下防止材５０の水平部５１の長手方向両端部には、左右方向（係止孔２０ａの奥行き方向）を向く係止部５２，５２が形成されており、図５に示されるように、これら両係止部５２，５２を、前後の棚受スリット支柱２０，２０における所定高さ位置の係止孔２０ａ，２０ａにそれぞれに対向させた状態で、物品棚１の内側を向く両係止孔２０ａ，２０ａにそれぞれ係止させることで、前後の棚受スリット支柱２０，２０間に取り付けられ、棚板４上に載置される物品（図示略）が該棚板４の左右側方から落下するのを防止するようになっている。
【００２７】
次に、落下防止材５０の係止部５２，５２を係止孔２０ａ，２０ａに取り付ける際における作用を図６に基づいて説明する。尚、前後の係止部５２，５２は前後の係止孔２０ａ，２０ａに同時に係止させるが、以下の説明においては、前後のうち一方の係止部５２が係止孔２０ａに係止される状態のみを説明する。
【００２８】
落下防止材５０を、前後の棚受スリット支柱２０，２０間に取り付ける際には、まず、前述したように係止部５２を棚受スリット支柱２０における所定高さ位置の係止孔２０ａ（図６中上から２番目の係合孔）に係止する際には、図６（ａ）に示されるように、接続部５３がほぼ鉛直方向を向くように、フック部５４の下部を内側に傾けた状態で、フック部５４における第２垂直杆５４ｃの先端を、該係止孔２０ａ内に下方から上方に向けて差し込む。
【００２９】
次いで、第１垂直杆５４ａと第２垂直杆５４ｃとの間に、係止孔２０ａの上方の前片２０ｃが遊嵌されるように落下防止材５０全体を上昇させ、フック部５４の下部の折り返し杆５４ｃが係止孔２０ａの下端縁よりも上方に位置したら、フック部５４の下部を係止孔２０ａ内に向けて押し込むように回転させる（図６（ｂ）参照）。
【００３０】
この状態で、さらにフック部５４をさらに回転させてその下部を係止孔２０ａ内の奥方に向けて押し込み（図６（ｃ）参照）、フック部５４の第２垂直杆５４ｃの下部が、嵌合溝２３の奥側の内面２３ａに当接したら、落下防止材５０全体を下降させる（図６（ｄ）参照）。
【００３１】
すると、第１垂直杆５４ａが前片２０ｃの内面に、かつ第２垂直杆５４ｃが嵌合溝２３の奥側の内面２３ａにそれぞれ当接し、フック部５４が上下方向を向いた姿勢のまま嵌合溝２３内に嵌り込んだ状態となる。さらにこの状態のまま下降させ、接続部５３の下部が係止孔２０ａの下端縁に当接して下降が規制されると、係止部５２が係止孔２０ａに確実に係止され、落下防止材５０が棚受スリット支柱２０，２０間に取り付けられる。
【００３２】
尚、落下防止材５０の取り付け高さ位置等を変更する場合などにおいて、棚受スリット支柱２０，２０間から取り外したいときは、上記取り付け方法とは逆工程を行うことで、係止部５２を係止孔２０ａから取り外すことができる。
【００３３】
以上説明したように、本発明の実施例としての物品棚における落下防止材装置にあっては、落下防止材５０の前後のフック部５４，５４を係止孔２０ａ，２０ａ内に挿入した後、係止孔２０ａ，２０ａの下端に接続部５３の下部が係止されるまでフック部５４を下降させることで水平部５１の両側の係止部５２，５２が係止孔２０ａ、２０ａに係止されるため、例えば水平部５１に当接した状態で載置されている物品が上方に持ち上げるように取り出された場合でも、フック部５４が係止孔２０ａよりも下方位置に深く入り込んでいることで、落下防止材５０が上昇しにくいとともに、さらにフック部５４が上向きＵ字形のフック形状に形成されていることで、例え落下防止材５０が上昇した場合でも、第２垂直杆５４ｃの先端が係止孔２０ａの上方の前片２０ｃ内面に引っ掛かりやすいため、係止部５２，５２が係止孔２０ａ，２０ａから簡単に外れてしまうことがない。
【００３４】
また、落下防止材５０の両端の係止部５２，５２を、棚板４を支持する棚受ブラケット７が係止される係止孔２０ａを利用して係止することで取り付けできるため、落下防止材５０を係止するために別途係止孔を形成しなくてもよいため、製造コストを効果的に低減することができる。
【００３５】
また、落下防止材５０は、ステンレス製の１本の棒材（杆材）からなり、その両端を折り曲げ加工することにより係止部５２，５２を形成できることで、構造が簡素で、製造コストが嵩むことがないばかりか、取り付けられた状態において、細く目立ちにくいため、意匠性に優れる。さらに、棒状の部材（杆材）であれば断面が円形でなくても、角形等であってもよい。
【００３６】
尚、本実施例における係止部５２の一部を構成するフック部５４は、上向き略Ｕ字形に形成されていたが、上向きフック形状であれば必ずしもＵ字形でなくてもよく、例えば上向き略Ｊ字形またはＶ字形等に形成されていてもよい。
【００３７】
また、本実施例における係止部５２の一部を構成する接続部５３は、水平部５１の両端からそれぞれ係止孔２０ａ側に向けて斜め下方に傾斜するように延設されていたが、水平部５１の両端からそれぞれ係止孔２０ａ側に向けてほぼ水平に延設されていてもよい。
【００３８】
また、フック部５４の上下幅寸法Ｌ１を係止孔２０ａの上下幅寸法Ｌ３よりも大とすることで、係止部５２が係止孔２０ａからより外れにくくなるとともに、フック部５４の開口幅寸法Ｌ２を、前片２０ｃの厚み幅寸Ｌ４よりも大とすることで、係止部５２を係止孔２０ａに挿入する際に、特に図６（ｂ）（ｃ）に示されるように、フック部５４の開口幅Ｌ２内に係止孔２０ａの上方の前片２０ｃを入り込ませた状態で、該フック部５４の下部を先に係止孔２０ａ内に挿入した後に係止部５２を下降させ、上下幅が長寸のフック部５４を簡単に係止孔２０ａ内に挿入することができる。
【００３９】
また、フック部５４が係止孔２０ａ内に嵌合した状態で、該フック部５４の第２垂直杆５４ｃが嵌合溝２３の奥側の内面２３ａと当接するようになっているため、フック部５４が嵌合溝２３内に嵌り込み、係止孔２０ａ内に挿入されたフック部５４の回転が規制されるため、落下防止材５０のがたつきが効果的に防止され、水平部５１が安定して支持される。
【００４０】
尚、フック部５４の第１垂直杆５４ａと第２垂直杆５４ｃとを若干逆ハの字状に広げ、弾性をもたせておくことで、係止孔２０ａ内に挿入したときに嵌合溝２３内によりきつく嵌合することになるため、より係止孔から外れにくくすることができる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば前記実施例では、左右の側部材が、長方形状のフレーム枠材１５，１５にて構成されており、前後の係止孔２０ａ，２０ａが、該フレーム枠材１５の前後の側フレーム支柱２２，２２にそれぞれ設けられていたが、左右の側部材が板状の側板にて構成され、該側板の前後に係止孔２０ａ，２０ａが設けられていてもよい。
【００４３】
また、前記実施例では、物品棚１における左右のフレーム枠材１５，１５それぞれの前後に形成された係止孔２０ａ，２０ａに、落下防止材５０の両端の係止部５２，５２を係止することで、棚板４の左右側に落下防止材５０を取り付けるようになっていたが、例えば左右の側部材であるフレーム枠材１５，１５それぞれの前部（または後部）に設けられた左右一対の係止孔２０ａ，２０ａに、左右前部の側フレーム支柱２２，２２間とほぼ同寸に形成した水平部５１を有する落下防止材５０の両端の係止部５２，５２を係止することで、棚板４の前側または後側に落下防止材５０を取り付けるようにしてもよい。尚、この場合、棚板４の左右側を支持する左右一対の係止孔は、それぞれ前方（または後方）に臨むように形成されていればよい。
【図面の簡単な説明】
【００４４】
【図１】（ａ）は本発明の実施例における物品棚の全体像を示し、手前正面側から見た斜視図であり、（ｂ）は物品棚の奥行き背面側から見た全体像を示す斜視図である。
【図２】図１のＡ−Ａ断面図である。
【図３】図２のＢ−Ｂ断面図である。
【図４】（ａ）は、物品落下防止材を示す斜視図であり、（ｂ）は物品落下防止材を示す平面図であり、（ｃ）は（ｂ）のＣ−Ｃ断面図である。
【図５】物品落下防止材の物品棚への取り付け状態を示す物品棚の要部斜視図である。
【図６】（ａ）〜（ｅ）は、物品落下防止材の係止部を係合孔に係止する状態を示す物品棚の要部拡大縦断面図である。
【符号の説明】
【００４５】
１                  物品棚
２                  天板
３                  底板
４                  棚板
５                  上ビーム材
６                  下ビーム材
７                  棚受ブラケット（棚受材）
７ａ                鈎部
７ｂ                棚板支持部
８                  取付ネジ
１０                背面閉塞板
１１                正面閉塞板
１３                幕板パネル
１５                フレーム枠材（側部材）
１６                上フレーム部材
１７                下フレーム部材
１８                アジャスタ
２０                棚受スリット支柱（係止孔部材）
２０ａ              係合孔
２０ｂ              嵌合片
２０ｃ              前片
２２                側フレーム支柱（側部材、奥壁）
２３                嵌合溝
２３ａ              内面（奥壁）
２５                連結片
２６                溝条
５０                物品落下防止材
５１                水平部
５２                係止部
５３                接続部
５４                フック部
５４ａ              第１垂直杆
５４ｂ              折り返し杆
５４ｃ              第２垂直杆
Ｓ１、Ｓ２、Ｓ３    収納部
【図１】
0004699880.tif 000002
【図２】
0004699880.tif 000003
【図３】
0004699880.tif 000004
【図４】
0004699880.tif 000005
【図５】
0004699880.tif 000006
【図６】
0004699880.tif 000007